(57)【特許請求の範囲】
【請求項１】
焦点調節を行うフォーカスレンズを介して物体光を受光し、合焦度を示す信号を抽出する抽出手段と、
前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作モードと、
シャッタレリーズ操作部材の操作に応答して前記フォーカスレンズを所定範囲に亘って移動させながら前記抽出手段により抽出される信号を記憶し、該記憶された各信号の中で合焦度が最大となる位置に前記フォーカスレンズを移動させることで合焦動作を行う第２の合焦動作モードと、
前記所定範囲を設定する制御手段とを備え、
前記制御手段は、前記第１の合焦動作モードにおける合焦動作が完了したか否かを前記フォーカスレンズの合焦度が最大となる位置への移動に基づいて判断するとともに、当該判断に応じて、前記第１の合焦動作モードによる合焦動作が完了した後に前記第２の合焦動作モードが実行された場合は、前記第２の合焦動作モードにおける前記所定範囲を前記第１の合焦動作モードにおいて前記合焦度が最大となる位置前後に所定量分だけ離れた第１の範囲に設定し、前記第１の合焦動作モードによる合焦動作が完了する前に前記第２の合焦動作モードが実行された場合は、前記第２の合焦動作モードにおける前記所定範囲を前記第１の範囲よりも広い第２の範囲に設定することを特徴とする焦点調節装置。
【請求項２】
前記合焦度を示す信号は、前記物体光の高周波数帯域の輝度信号であることを特徴とする請求項１に記載の焦点調節装置。
【請求項３】
焦点調節を行うフォーカスレンズを介して物体光を受光し、合焦度を示す信号を抽出する抽出手段と、
前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作モードと、
シャッタレリーズ操作部材の操作に応答して前記フォーカスレンズを所定範囲に亘って移動させながら前記抽出手段により抽出される信号を記憶し、該記憶された各信号の中で合焦度が最大となる位置に前記フォーカスレンズを移動させることで合焦動作を行う第２の合焦動作モードと、
前記所定範囲を設定する制御手段とを備え、
前記制御手段は、前記第１の合焦動作モードにおける合焦動作が完了したか否かを前記フォーカスレンズの合焦度が最大となる位置への移動に基づいて判断するとともに、当該判断に応じて、前記第１の合焦動作モードによる合焦動作が完了した後に前記第２の合焦動作モードが実行された場合は、前記第２の合焦動作モードにおける前記所定範囲を前記第１の合焦動作モードにおいて合焦度が最大となる位置前後に所定量分だけ離れた第１の範囲に設定し、前記第１の合焦動作モードによる合焦動作が完了する前に前記第２の合焦動作モードが実行された場合は、前記第２の合焦動作モードにおける前記所定範囲を前記第１の範囲よりも広い第２の範囲に設定する焦点調節装置を備えたことを特徴とする撮像装置。
【請求項４】
焦点調節を行うフォーカスレンズを介して物体光を受光し、合焦度を示す信号を抽出する抽出ステップと、
前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、
シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、
前記所定範囲を設定する制御ステップとを備え、
前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする合焦方法。
【請求項５】
前記合焦度を示す信号は、前記物体光の高周波数帯域の輝度信号であることを特徴とする請求項４に記載の合焦方法。
【請求項６】
焦点調節を行うフォーカスレンズを介して物体光を受光し、合焦度を示す信号を抽出する抽出ステップと、
前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、
シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、
前記所定範囲を設定する制御ステップとを備え、
前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする、コンピュータに実行させるためのプログラム。
【請求項７】
焦点調節を行うフォーカスレンズを介して物体光を受光し、合焦度を示す信号を抽出する抽出ステップと、
前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、
シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、
前記所定範囲を設定する制御ステップとをプログラムとして記憶し、
前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする、コンピュータにより読み出し可能な記憶媒体。
【発明の詳細な説明】
【０００１】
【発明の属する技術分野】
本発明は、撮像装置、合焦方法、プログラム、及び記憶媒体に関し、特に、山登り合焦方式で常に合焦状態としておき、本撮影前に、山登り合焦方式で得られていた合焦位置の前後にレンズを駆動（スキャン）し直して最終的な合焦位置を得るようにする撮像装置、該撮像装置に適用される合焦方法、該合焦方法をコンピュータに実行させるためのプログラム、及び該プログラムを記憶した記憶媒体に関する。
【０００２】
【従来の技術】
従来、電子スチルカメラやビデオカメラなどの合焦方式として、ＣＣＤなどの撮像素子から得られる１画面分の輝度信号のうち、高周波数帯域に属する輝度信号だけからなる高域成分が最大のレベルになるようにフォーカスレンズのレンズ位置を調整することが行われている。
【０００３】
こうした合焦方式として、撮像素子から得られる１画面分の輝度信号のうち高域成分のレベル（以下これを「焦点評価値」と言う）が増加する方向にレンズを動かし、焦点評価値が低下したらその直前の焦点評価値を最大値と認定して、その最大値に相当するレンズ位置を合焦位置とする山登り方式や、レンズを駆動しながらレンズの位置毎に所定の測距範囲における焦点評価値を記憶し、レンズを全駆動領域に亘って駆動した後で、記憶した焦点評価値のうちで最大値を検出し、該最大値に相当するレンズ位置を合焦位置とする方式が知られている。
【０００４】
これらの方式では通常、図１２に示すように、撮影画面に対して中央部分を所定の測距範囲とし、この範囲内における焦点評価値を求めるようにしている。図１２は撮影画面における測距範囲を示す図である。なお図１３は、所定の測距範囲におけるレンズ位置と焦点評価値との関係を示す図である。図１３から分かるように、焦点評価値が山の形になる。
【０００５】
また、電子スチルカメラやビデオカメラで静止画を撮影する際、電子ビューファインダ上の画像を前記山登り合焦方式で常に合焦状態としておき、本撮影前に、山登り合焦方式で得られていた合焦位置の前後にレンズを駆動（スキャン）し直して最終的な合焦位置を得る方法が知られている。
【０００６】
【発明が解決しようとする課題】
しかしながら、上記の本撮影前に合焦位置の前後にレンズを駆動（スキャン）し直す従来の方式の撮像装置においては、例えばカメラのパンニングを行った後で山登り合焦が完了する前に本撮影に入った場合、本来の合焦位置とは違った位置を中心とする範囲をスキャンしてしまい、ピントを外してしまうことがあり得る。
【０００７】
本発明はこのような問題点に鑑みてなされたものであって、本撮影前に、山登り合焦方式で得られていた合焦位置の前後にレンズを駆動し直して最終的な合焦位置を得る方法において、山登り合焦方式によって合焦位置が未だ得られていない場合でも正確にピントを合わせることを可能にした撮像装置、合焦方法、プログラム、及び記憶媒体を提供することを目的とする。
【０００８】
【課題を解決するための手段】
上記目的を達成するために、請求項１記載の発明によれば、焦点調節を行うフォーカスレンズを介して物体光を受光し、合焦度を示す信号を抽出する抽出手段と、前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作モードと、シャッタレリーズ操作部材の操作に応答して前記フォーカスレンズを所定範囲に亘って移動させながら前記抽出手段により抽出される信号を記憶し、該記憶された各信号の中で合焦度が最大となる位置に前記フォーカスレンズを移動させることで合焦動作を行う第２の合焦動作モードと、前記所定範囲を設定する制御手段とを備え、前記制御手段は、前記第１の合焦動作モードにおける合焦動作が完了したか否かを前記フォーカスレンズの合焦度が最大となる位置への移動に基づいて判断するとともに、当該判断に応じて、前記第１の合焦動作モードによる合焦動作が完了した後に前記第２の合焦動作モードが実行された場合は、前記第２の合焦動作モードにおける前記所定範囲を前記第１の合焦動作モードにおいて前記合焦度が最大となる位置前後に所定量分だけ離れた第１の範囲に設定し、前記第１の合焦動作モードによる合焦動作が完了する前に前記第２の合焦動作モードが実行された場合は、前記第２の合焦動作モードにおける前記所定範囲を前記第１の範囲よりも広い第２の範囲に設定することを特徴とする焦点調節装置が提供される。
【０００９】
請求項３記載の発明によれば、焦点調節を行うフォーカスレンズを介して物体光を受光し、合焦度を示す信号を抽出する抽出手段と、前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作モードと、シャッタレリーズ操作部材の操作に応答して前記フォーカスレンズを所定範囲に亘って移動させながら前記抽出手段により抽出される信号を記憶し、該記憶された各信号の中で合焦度が最大となる位置に前記フォーカスレンズを移動させることで合焦動作を行う第２の合焦動作モードと、前記所定範囲を設定する制御手段とを備え、前記制御手段は、前記第１の合焦動作モードにおける合焦動作が完了したか否かを前記フォーカスレンズの合焦度が最大となる位置への移動に基づいて判断するとともに、当該判断に応じて、前記第１の合焦動作モードによる合焦動作が完了した後に前記第２の合焦動作モードが実行された場合は、前記第２の合焦動作モードにおける前記所定範囲を前記第１の合焦動作モードにおいて合焦度が最大となる位置前後に所定量分だけ離れた第１の範囲に設定し、前記第１の合焦動作モードによる合焦動作が完了する前に前記第２の合焦動作モードが実行された場合は、前記第２の合焦動作モードにおける前記所定範囲を前記第１の範囲よりも広い第２の範囲に設定する焦点調節装置を備えたことを特徴とする撮像装置が提供される。
【００１２】
また、請求項４記載の発明によれば、焦点調節を行うフォーカスレンズを介して物体光を受光し、合焦度を示す信号を抽出する抽出ステップと、前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、前記所定範囲を設定する制御ステップとを備え、前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする合焦方法が提供される。
【００１４】
また、請求項６記載の発明によれば、焦点調節を行うフォーカスレンズを介して物体光を受光し、合焦度を示す信号を抽出する抽出ステップと、前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、前記所定範囲を設定する制御ステップとを備え、前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする、コンピュータに実行させるためのプログラムが提供される。
【００１６】
さらに、請求項７記載の発明によれば、焦点調節を行うフォーカスレンズを介して物体光を受光し、合焦度を示す信号を抽出する抽出ステップと、前記フォーカスレンズを移動させ、合焦度が最大になる位置を前記フォーカスレンズが通過したと判定した際に該合焦度が最大になる位置に前記フォーカスレンズを戻して停止させることで合焦動作を行う第１の合焦動作ステップと、シャッタレリーズ操作部材の操作に応答して前記フォーカスレンズを所定範囲に亘って移動させながら前記抽出ステップにより抽出される信号を記憶し、該記憶された各信号の中で合焦度が最大となる位置に前記フォーカスレンズを移動させることで合焦動作を行う第２の合焦動作ステップと、前記所定範囲を設定する制御ステップとをプログラムとして記憶し、前記制御ステップにおいては、前記第１の合焦動作モードにおける合焦動作が完了したか否かを前記フォーカスレンズの合焦度が最大となる位置への移動に基づいて判断するとともに、当該判断に応じて、前記第１の合焦動作ステップによる合焦動作が完了した後に前記第２の合焦動作ステップが実行された場合は、前記第２の合焦動作ステップにおける前記所定範囲を前記第１の合焦動作ステップにおいて前記合焦度が最大となる位置前後に所定量分だけ離れた第１の範囲に設定し、前記第１の合焦動作ステップによる合焦動作が完了する前に前記第２の合焦動作ステップが実行された場合は、前記第２の合焦動作ステップにおける前記所定範囲を前記第１の範囲よりも広い第２の範囲に設定することを特徴とする、コンピュータにより読み出し可能な記憶媒体が提供される。
【００１８】
【発明の実施の形態】
以下、本発明の実施の形態を、図面を参照して説明する。
【００１９】
（第１の実施の形態）
図１は、本発明に係る電子カメラの第１の実施の形態における構成を示すブロック図である。
【００２０】
１０１は後述する撮像素子上に焦点を合わせるためのフォーカスレンズ、１０２はフォーカスレンズ１０１の初期位置を検出するフォトインタラプタ、１０３はフォーカスレンズ１０１を駆動するフォーカスレンズ駆動モータ、１０４はフォーカスレンズ駆動モータ１０３に駆動信号を入力してフォーカスレンズ１０１を動かすフォーカスレンズ駆動回路である。
【００２１】
１０５は入射光量調節を行う絞り・シャッタ、１０６は絞り・シャッタ１０５を駆動する絞り・シャッタ駆動モータ、１０７は絞り・シャッタ駆動モータ１０６に駆動信号を入力して絞り・シャッタ１０５を動かす絞り・シャッタ駆動回路である。
【００２２】
１０８は撮影レンズの焦点距離を変更するズームレンズ、１０９はズームレンズ１０８の初期位置を検出するフォトインタラプタ、１１０はズームレンズ１０８を駆動するズームレンズ駆動モータ、１１１はズームレンズ駆動モータ１１０に駆動信号を入力してズームレンズ１０８を動かすズームレンズ駆動回路である。
【００２３】
１１２は光学ズームファインダ、１１３はファインダ１１２の初期位置を検出するフォトインタラプタ、１１４はファインダ１１２を駆動するファインダ駆動モータ、１１５はファインダ駆動モータ１１４に駆動信号を入力してファインダ１１２を動かすファインダ駆動回路である。
【００２４】
１１６は被写体からの反射光を電気信号に変換する撮像素子、１１７は撮像素子１１６を動作させるために必要なタイミング信号を発生するタイミング信号発生回路（以降「ＴＧ」とする）、１１８は撮像素子１１６の出力ノイズ除去のためのＣＤＳ回路やＡ／Ｄ変換前の非線形増幅を行う増幅回路を備えた前置処理回路、１１９はＡ／Ｄ変換器、１２０はＡ／Ｄ変換器１１９から入力された画像データに所定の処理を施す画像処理プロセッサ、１２１はバッファメモリ、１２２は後述する記録媒体との接続のための記録媒体インターフェース、１２３はメモリカードやハードディスクなどの記録媒体である。
【００２５】
１２４は撮影シーケンスなどを実行するシステム制御用のマイクロコントローラ（以下「ＣＰＵ」とする）、１２５はズーム動作の開始および停止を指示する信号をＣＰＵ１２４に入力するズームＳＷ、１２６は不図示のシャッタレリーズ操作部材の第一段の押圧操作によりＡＦ（自動焦点調節）やＡＥ（自動露出調節）等の撮影準備動作を行うためのスイッチ（以下「ＳＷ（１）」とする）、１２７は前記シャッタレリーズ操作部材の第二段の押圧操作によりＳＷ（１）１２６の操作後、撮影を実行させるためのスイッチ（以下「ＳＷ（２）」とする）、１２８はシステムに電源を投入するためのメインスイッチ（ＳＷ）、１２９はカメラの動作状態や各種警告の表示を行う操作表示部、１３０はカメラの動作モードを設定するモードスイッチ（ＳＷ）、１３１は画像を表示する電子ビューファインダ（以下「ＥＶＦ」とする）である。
【００２６】
次に、図２を参照して電子カメラの動作を説明する。
【００２７】
図２は、電子カメラで実行される基本的な処理の手順を示すフローチャートである。この処理は所定期間の経過毎に実行される。
【００２８】
まずステップＳ２０１では、撮影準備用のＳＷ（１）１２６の状態を判定し、ＯＮであればステップＳ２０６へ進んで、後述の撮影処理を行い、ＯＮでなければステップＳ２０２へ進む。
【００２９】
ステップＳ２０２では、絞り・シャッタ１０５の絞り量やシャッタースピードを制御して、ＥＶＦ１３１に表示される画像の明るさが適正になるようＡＥ動作を行う。
【００３０】
ステップＳ２０３では、光源の色温度によらずＥＶＦ１３１に表示される画像が適切な色バランスになるようにオートホワイトバランス（ＡＷＢ）動作を行う。
【００３１】
ステップＳ２０４では、後述する手順に従ってＡＦ動作を行う。
【００３２】
ステップＳ２０５では、撮像素子１１６から読み出された画像信号に対して所定の処理を施した上で、ＥＶＦ１３１で表示を行う。
【００３３】
図３は、図２のステップＳ２０４で実行されるＡＦ動作の詳細な手順を示すフローチャートである。
【００３４】
まずステップＳ３０１では、山登り完了フラグがＴＲＵＥであるか否かを調べ、ＴＲＵＥであればステップＳ３０３へ進み、そうでなければステップＳ３０２へ進む。この山登り完了フラグは、図示しない初期化動作においてあらかじめＦＡＬＳＥに設定されているものとする。
【００３５】
ステップＳ３０２では、後述する山登りモードでＡＦ動作を行う。ステップＳ３０３では、後述する監視モードでＡＦ動作を行う。
【００３６】
図４は、図３のステップＳ３０２で実行される山登りモードのＡＦ動作の詳細な手順を示すフローチャートである。このＡＦ動作では、撮影画面全域に亘る輝度信号を基に焦点評価値を検出し、焦点評価値が増加する方向にフォーカスレンズ１０１を所定量ずつ駆動しながら、焦点評価値が最大となるレンズ位置を検出する。
【００３７】
まずステップＳ４０１では、フォーカスレンズ１０１が現在位置にあるときに撮像素子１１６から得られる全画素に対して所定範囲内の輝度信号のうち、高周波数帯域の輝度信号だけからなる高域成分のレベルである焦点評価値を取得する。ここで所定範囲とは、図１２に示す全画面に対して中央部分の範囲である。
【００３８】
ステップＳ４０２では、フォーカスレンズ１０１の現在位置を取得する。
【００３９】
ステップＳ４０３では、取得カウンタに１を加える。この取得カウンタは図示しない初期化動作においてあらかじめ０に設定されているものとする。
【００４０】
ステップＳ４０４では、取得カウンタの値が１か否かを調べ、１ならばステップＳ４０６へ、そうでなければステップＳ４０５へ進む。
【００４１】
ステップＳ４０５では、フォーカスレンズ１０１の現在位置における今回検出の焦点評価値が、フォーカスレンズ１０１の前回位置における前回検出の焦点評価値よりも大きいか否かを調べ、大きければステップＳ４０６へ、そうでなければステップＳ４１２へ進む。
【００４２】
ステップＳ４０６では、今回の焦点評価値を焦点評価値の最大値として記憶する。
【００４３】
ステップＳ４０７では、フォーカスレンズ１０１の現在の位置を、焦点評価値が最大であるときのフォーカスレンズ１０１の位置、すなわちピーク位置として記憶する。
【００４４】
ステップＳ４０８では、今回の焦点評価値を前回の焦点評価値として記憶する。
【００４５】
ステップＳ４０９では、フォーカスレンズ１０１の現在位置が駆動可能範囲の端にあるか否かを調べ、端にあればステップＳ４１０へ進み、そうでなければステップＳ４１１へ進む。
【００４６】
ステップＳ４１０では、フォーカスレンズ１０１の駆動方向を反転する。
【００４７】
ステップＳ４１１では、フォーカスレンズ１０１を所定量駆動する。
【００４８】
ステップＳ４１２では、（焦点評価値の最大値−今回の評価値）が所定量より大きいか否かを判別する。その結果、大きいと判別された場合、今回の評価値が最大値から所定量を越えて減少していて、フォーカスレンズ１０１がピーク位置を確実に通りすぎていると見なせるので、既に得られた最大値をピーク位置での焦点評価値と認定して、ステップＳ４１３へ進む。一方、（焦点評価値の最大値−今回の評価値）が所定量以下であると判別された場合、フォーカスレンズ１０１がピーク位置を確実に通りすぎているとまでは未だ見なせず、他の原因によって今回の焦点評価値が前回の焦点評価値以下になっている可能性もあるので、更にフォーカスレンズ１０１の位置を変えるべく、ステップＳ４０８へ進む。
【００４９】
ステップＳ４１３では、フォーカスレンズ１０１をステップＳ４０７で記憶したピーク位置へ駆動する。
【００５０】
ステップＳ４１４では、山登り完了フラグをＴＲＵＥとする。
【００５１】
ステップＳ４１５では、取得カウンタを０とする。
【００５２】
図５は、図３のステップＳ３０３で実行される監視モードのＡＦ動作の詳細な手順を示すフローチャートである。このＡＦ動作では、図４に示す山登りモードのＡＦ動作においてピーク位置とされたレンズ位置にフォーカスレンズ１０１を固定したまま、焦点評価値を所定期間毎に取得し、取得した焦点評価値が所定量よりも大きく変化したら山登りモードのＡＦ動作を再開するように構成している。なお、この監視モードのＡＦ動作は、図２に示す基本的な処理が所定期間毎に実行されることに伴ない実行されるので、この監視モードのＡＦ動作も、所定期間毎に実行されることになる。
【００５３】
まずステップＳ５０１で、ピーク位置とされたレンズ位置にフォーカスレンズ１０１を固定したまま、今回の焦点評価値を取得する。
【００５４】
次にステップＳ５０２で、初期値取得フラグが「ＴＲＵＥ」か否かを調べ、「ＴＲＵＥ」ならばステップＳ５０３へ、そうでなければステップＳ５０９へ進む。この初期値取得フラグは、図示しない初期化動作において予め「ＦＡＬＳＥ」に設定されているものとする。
【００５５】
ステップＳ５０３では、今回の焦点評価値と前回の焦点評価値との差の絶対値が所定量より大きいか否かを調べ、大きければステップＳ５０４へ、そうでなければステップＳ５０８へ進む。
【００５６】
ステップＳ５０４では、変化カウンタに１を加える。この変化カウンタは、図示しない初期化動作においてあらかじめ０に設定されているものとする。
【００５７】
ステップＳ５０５では、変化カウンタのカウント値が所定量より大きいか否かを調べ、大きければステップＳ５０６へ、そうでなければ今回の処理を終え、監視モードの次回の処理に備える。
【００５８】
ステップＳ５０６では、山登り完了フラグを「ＦＡＬＳＥ」に設定する。すなわち、焦点評価値が所定期間の間に所定量よりも大きく変動するとともに、そうした変動が所定回数に亘って発生したので、山登りモードのＡＦ動作によって以前に得られていたピーク位置は信頼できないものになってしまっていると判断し、山登りモードのＡＦ動作を改めて再開するべく、山登り完了フラグを「ＦＡＬＳＥ」に設定する。
【００５９】
ステップＳ５０７では、初期値取得フラグを「ＦＡＬＳＥ」にする。
【００６０】
ステップＳ５０８では変化カウンタを０にする。
【００６１】
ステップＳ５０９では、今回の焦点評価値を前回の焦点評価値として記憶する。
【００６２】
ステップＳ５１０では、初期値取得フラグを「ＴＲＵＥ」にする。
【００６３】
図６は、図２におけるステップＳ２０６の撮影処理の詳細な手順を示すフローチャートである。前述のように、本処理は、撮影準備用のＳＷ（１）１２６がＯＮのときに実行される。
【００６４】
ステップＳ６０１では、本露出用のＡＥ動作を行う。
【００６５】
ステップＳ６０２では、後述する手順に従って本露出用のＡＦ動作を行う。
【００６６】
ステップＳ６０３では、撮影実行用のＳＷ（２）１２７がＯＮであるか否かを判定し、ＯＮであればステップＳ６０５へ進み、そうでなければステップＳ６０４へ進む。
【００６７】
ステップＳ６０４では撮影準備用のＳＷ（１）１２６の状態を判定し、ＯＮであればステップＳ６０３へ戻り、そうでなければ撮影処理を終了する。
【００６８】
ステップＳ６０５では、絞り・シャッタ１０５を駆動して撮像素子１１６への露光を行う。
【００６９】
ステップＳ６０６では、撮像素子１１６に蓄積された画像データを読み出す。
【００７０】
ステップＳ６０７では、前置処理回路１１８が、読み出された画像データから撮像素子１１６の出力ノイズを除去し、Ａ／Ｄ変換前の非線形処理を行う。
【００７１】
ステップＳ６０８では、Ａ／Ｄ変換器１１９が、前置処理回路１１８から出力されたアナログ信号をデジタル信号に変換する。
【００７２】
ステップＳ６０９では、画像処理プロセッサ１２０が、Ａ／Ｄ変換器１１９から出力されたデジタル信号に対して、ガンマ変換処理、色変換処理を含む各種画像処理を行う。
【００７３】
ステップＳ６１０では、画像処理プロセッサ１２０が更に、ステップＳ６０９で処理された画像データをＪＰＥＧなどのフォーマットに従って圧縮する。
【００７４】
ステップＳ６１１では、ステップＳ６１０で圧縮された画像データを、記録媒体インターフェース１２２を介してカメラ本体に装着されたメモリカードなどの記録媒体１２３へ転送する。
【００７５】
図７は、図６のステップＳ６０２における本露出用のＡＦ動作の詳細な手順を示すフローチャートである。本露出用のＡＦ動作では、ピーク位置付近でフォーカスレンズ１０１の駆動（スキャン）を行い、焦点評価値を取得する。
【００７６】
まずステップＳ７０１では、山登り完了フラグがＴＲＵＥか否かを調べ、ＴＲＵＥならばステップＳ７０２へ、そうでなければステップＳ７０３へ進む。この山登り完了フラグは、図４のステップＳ４１４や図５のステップＳ５０７で設定されるものである。
【００７７】
次にステップＳ７０２では、フォーカスレンズ１０１のスキャン開始位置をＰＳ１に、スキャン終了位置をＰＥ１に設定する。
【００７８】
ステップＳ７０３では、スキャン開始位置をＰＳ２に、スキャン終了位置をＰＥ２に設定する。
【００７９】
これらの各位置ＰＳ１、ＰＥ１、ＰＳ２、ＰＥ２については後述する。
【００８０】
ステップＳ７０４では、ステップＳ７０２またはステップＳ７０３で設定したスキャン開始位置へフォーカスレンズ１０１を駆動する。
【００８１】
ステップＳ７０５では、フォーカスレンズ１０１の現在位置において焦点評価値を取得する。
【００８２】
ステップＳ７０６では、フォーカスレンズ１０１の現在位置を取得する。
【００８３】
ステップＳ７０７では、ステップＳ７０６で取得したフォーカスレンズ１０１の現在位置が、ステップＳ７０２又はステップＳ７０３で設定したスキャン終了位置と同じか否かを調べ、同じならステップＳ７０９へ、そうでなければステップＳ７０８へ戻る。
【００８４】
ステップＳ７０８では、フォーカスレンズ１０１をスキャン終了位置へ向かって所定量駆動する。
【００８５】
ステップＳ７０９では、フォーカスレンズ１０１の駆動に伴なってフォーカスレンズ１０１の各位置で、ステップＳ７０５が実行される都度得られた各焦点評価値の中から最大の焦点評価値（ピーク）を抽出する。
【００８６】
ステップＳ７１０では、フォーカスレンズ１０１の駆動に伴なってステップＳ７０６が実行される都度得られたフォーカスレンズ１０１の各位置の中から、ステップＳ７０９で抽出した最大の焦点評価値（ピーク）に対応するフォーカスレンズ１０１の位置、つまりピーク位置を抽出する。
【００８７】
ステップＳ７１１では、ステップＳ７１０で抽出したピーク位置にフォーカスレンズ１０１を駆動する。
【００８８】
図８は、図７に示すステップＳ７０２及びステップＳ７０３における位置ＰＳ１，ＰＥ１、及び位置ＰＳ２,ＰＥ２の位置関係を示す図である。
【００８９】
すなわち、位置ＰＳ２を、フォーカスレンズ１０１の駆動可能範囲における無限端に、位置ＰＥ２を至近端に設定する。一方、位置ＰＳ１は位置ＰＳ２よりも至近側に設定し、位置ＰＥ１は位置ＰＥ２よりも無限側に設定する。つまり位置ＰＳ１から位置ＰＥ１までの駆動範囲のほうが位置ＰＳ２から位置ＰＥ２までの駆動範囲よりも狭くなっている。
【００９０】
したがって、図４を参照して説明した山登りモードのＡＦ動作が完了して山登り完了フラグがＴＲＵＥに設定されていれば、フォーカスレンズ１０１の位置を狭い駆動範囲でスキャンし、完了していなければ広い駆動範囲でスキャンすることになる。
【００９１】
また位置ＰＳ１、ＰＥ１は、図４のステップＳ４１３においてフォーカスレンズ１０１が移動したピーク位置を中心として前後に所定量分だけ離れた位置にそれぞれ設定される。こうすることによって、山登りモードのＡＦ動作によって得られた合焦位置（ピーク位置）を中心とする前後の範囲でフォーカスレンズ１０１を駆動することになるので、本露光時のＡＦ動作はフォーカスレンズ１０１の合焦位置（ピーク位置）付近の微調整のみで済み、合焦処理時間が短縮できる。
【００９２】
一方、山登りモードのＡＦ動作がまだ完了しておらず山登り完了フラグがＴＲＵＥに設定されていないときに撮影実行用のＳＷ（２）１２７がＯＮされた場合、前述のように、合焦位置（ピーク位置）を中心とする前後の範囲でフォーカスレンズ１０１の位置をスキャンすることはできないので、フォーカスレンズ１０１を駆動可能範囲の全域でスキャンするべく、スキャン開始位置ＰＳ２を無限端に、スキャン終了位置ＰＥ２を至近端に設定する。こうすることにより、山登りモードのＡＦ動作によってピーク位置がまだ検出されていないにも拘わらず撮影実行用のＳＷ（２）１２７がＯＮされた場合でも、正確にピントを合わせることができる。
【００９３】
（第２の実施の形態）
第１の実施の形態では、山登りモードのＡＦ動作が完了して山登り完了フラグがＴＲＵＥに設定されているか否かに応じて、本露光時のＡＦ動作におけるフォーカスレンズ１０１の駆動（スキャン）範囲を変えるようにしているが、これに代わって、第２の実施の形態では、山登りモードのＡＦ動作が完了して山登り完了フラグがＴＲＵＥに設定されていても、ピントの合い具合に応じてスキャン範囲を変えるようにする。
【００９４】
第２の実施の形態の構成は、基本的に第１の実施の形態の構成と同じであるので、第２の実施の形態の説明においては、第１の実施の形態の構成を流用し、異なる部分だけを説明する。
【００９５】
図９は、図３のステップＳ３０２で実行される山登りモードのＡＦ動作の第２の実施例における詳細な手順を示すフローチャートである。この手順は、図４に示す第１の実施の形態における手順と置き換えられるものである。
【００９６】
まずステップＳ９０１では、フォーカスレンズ１０１が現在位置にあるときに焦点評価値を取得する。
【００９７】
ステップＳ９０２では、フォーカスレンズ１０１の現在位置を取得する。
【００９８】
ステップＳ９０３では、取得カウンタに１を加える。この取得カウンタは図示しない初期化動作においてあらかじめ０に設定されているものとする。
【００９９】
ステップＳ９０４では、取得カウンタの値が１か否かを調べ、１ならばステップＳ９０５へ、そうでなければステップＳ９０６へ進む。
【０１００】
ステップＳ９０５では、後述する合焦判定で使用する山登りＯＫフラグをＦＡＬＳＥに設定する。この山登りＯＫフラグは、図示しない初期化動作において予めＦＡＬＳＥに設定されているものとする。
【０１０１】
ステップＳ９０６では、フォーカスレンズ１０１の現在位置における今回検出の焦点評価値が、フォーカスレンズ１０１の前回位置における前回検出の焦点評価値よりも大きいか否かを調べ、大きければステップＳ９０７へ、そうでなければステップＳ９１３へ進む。
【０１０２】
ステップＳ９０７では、今回の焦点評価値を焦点評価値の最大値として記憶する。
【０１０３】
ステップＳ９０８では、フォーカスレンズ１０１の現在の位置を、焦点評価値が最大であるときのフォーカスレンズ１０１の位置、すなわちピーク位置として記憶する。
【０１０４】
ステップＳ９０９では、今回の焦点評価値を前回の焦点評価値として記憶する。
【０１０５】
ステップＳ９１０では、フォーカスレンズ１０１の現在位置が駆動可能範囲の端にあるか否かを調べ、端にあればステップＳ９１１へ進み、そうでなければステップＳ９１２へ進む。
【０１０６】
ステップＳ９１１では、フォーカスレンズ１０１の駆動方向を反転する。
【０１０７】
ステップＳ９１２では、フォーカスレンズ１０１を所定量駆動する。
【０１０８】
ステップＳ９１３では、（焦点評価値の最大値−今回の評価値）が所定量より大きいか否かを判別する。その結果、大きいと判別された場合、フォーカスレンズ１０１がピーク位置を確実に通りすぎていると見なせるので、既に得られた最大値をピーク位置での焦点評価値と認定して、ステップＳ９１４へ進む。一方、（焦点評価値の最大値−今回の評価値）が所定量以下であると判別された場合、フォーカスレンズ１０１がピーク位置を確実に通りすぎているとまでは未だ見なせず、更にフォーカスレンズ１０１の位置を変えるべく、ステップＳ９０９へ進む。
【０１０９】
ステップＳ９１４では、フォーカスレンズ１０１をステップＳ９０８で記憶したピーク位置へ駆動する。
【０１１０】
ステップＳ９１５では、後述する手順に従って合焦判定を行う。
【０１１１】
ステップＳ９１６では、山登り完了フラグをＴＲＵＥに設定する。
【０１１２】
ステップＳ９１７では、取得カウンタを０とする。
【０１１３】
図１０は、図９のステップＳ９１５で実行される合焦判定処理の詳細な手順を示すフローチャートである。
【０１１４】
まずステップＳ１００１では、フォーカスレンズ１０１の現在位置における焦点評価値を取得する。なお、前述の図９のステップＳ９１４において、フォーカスレンズ１０１はステップＳ９０８で記憶されたピーク位置に移動しているので、ここで取得される焦点評価値は、山登りモードのＡＦ動作の結果得られたピーク位置における焦点評価値となる。
【０１１５】
ステップＳ１００２では、ステップＳ１００１で取得した焦点評価値が所定値より大きいか否かを調べ、大きければステップＳ１００３へ、そうでなければステップＳ１００４へ進む。
【０１１６】
ステップＳ１００３では山登りＯＫフラグをＴＲＵＥにする。
【０１１７】
ステップＳ１００４では山登りＯＫフラグをＦＡＬＳＥにする。
【０１１８】
つまりピーク位置における焦点評価値が所定値以上であれば、そのピーク位置がピントの合っている位置である可能性が高く、そうでない場合はその可能性が低いことを示す。
【０１１９】
図１１は、図６のステップＳ６０２で実行される本露光用のＡＦ動作の第２の実施例における詳細な手順を示すフローチャートである。この手順は、図７に示す第１の実施の形態における手順と置き換えられるものである。
【０１２０】
まずステップＳ１１０１では、山登りＯＫフラグがＴＲＵＥか否かを調べ、ＴＲＵＥならばステップＳ１１０２へ、そうでなければステップＳ１１０３へ進む。この山登りＯＫフラグは、図１０のステップＳ１００３やステップＳ１００４で設定されるものである。
【０１２１】
次にステップＳ１１０２では、フォーカスレンズ１０１のスキャン開始位置をＰＳ１に、スキャン終了位置をＰＥ１に設定する。
【０１２２】
ステップＳ１１０３では、スキャン開始位置をＰＳ２に、スキャン終了位置をＰＥ２に設定する。
【０１２３】
これらの各位置ＰＳ１、ＰＥ１、ＰＳ２、ＰＥ２の設定の仕方は、第１の実施の形態における図７のステップＳ７０２やステップＳ７０３で設定される位置ＰＳ１、ＰＥ１、ＰＳ２、ＰＥ２と同じである。
【０１２４】
ステップＳ１１０４〜ステップＳ１１１１の処理は、第１の実施の形態における図７のステップＳ７０４〜ステップＳ７１１の処理とそれぞれ同一である。そこで、それらの説明を省略する。
【０１２５】
位置ＰＳ１，ＰＥ１、及び位置ＰＳ２,ＰＥ２の位置関係は、図８に示す第１の実施の形態における位置関係と同様に、位置ＰＳ２をフォーカスレンズ１０１の駆動可能範囲における無限端に、位置ＰＥ２を至近端に設定する。一方、位置ＰＳ１は位置ＰＳ２よりも至近側に設定し、位置ＰＥ１は位置ＰＥ２よりも無限側に設定する。つまり位置ＰＳ１から位置ＰＥ１までの駆動範囲のほうが位置ＰＳ２から位置ＰＥ２までの駆動範囲よりも狭くなっている。
【０１２６】
したがって、図１０を参照して説明したように、ピーク位置での焦点評価値が所定値よりも大きくて山登りＯＫフラグがＴＲＵＥに設定され、ピントの合っている可能性が高ければ、フォーカスレンズ１０１を狭い駆動範囲でスキャンし、一方、ピーク位置での焦点評価値が所定値以下であって山登りＯＫフラグがＦＡＬＳＥに設定され、ピントの合っている可能性が低ければ、広い駆動範囲でスキャンすることになる。
【０１２７】
また位置ＰＳ１、ＰＥ１は、図９のステップＳ９１４においてフォーカスレンズ１０１が移動したピーク位置を中心として前後に所定量分だけ離れた位置にそれぞれ設定される。こうすることによって、山登りモードのＡＦ動作によって得られた合焦位置（ピーク位置）を中心とする前後の範囲でフォーカスレンズ１０１を駆動することになるので、山登りモードのＡＦ動作によって得られたピーク位置でピントの合っている可能性が高ければ、本露光時のＡＦ動作は、フォーカスレンズ１０１の合焦位置（ピーク位置）付近の微調整のみで済み、合焦処理時間が短縮できる。
【０１２８】
一方、山登りモードのＡＦ動作によって得られたピーク位置でピントの合っている可能性が低ければ、フォーカスレンズ１０１を駆動可能範囲の全域でスキャンするべく、スキャン開始位置ＰＳ２を無限端に、スキャン終了位置ＰＥ２を至近端に設定する。こうすることにより、山登りモードのＡＦ動作によって得られたピーク位置でピントの合っている可能性が低い場合でも、正確にピントを合わせることができる。
【０１２９】
（他の実施の形態）
なお、前述した各実施の形態の機能を実現するソフトウェアのプログラムコード自体が本発明を構成してもよく、また、そのプログラムコードを記憶した記憶媒体が本発明を構成してもよい。
【０１３０】
この場合、記憶媒体から読み出されたプログラムコード自体が、前述の各実施の形態の機能を実現することになり、そのプログラムコードを記憶した記憶媒体が本発明を構成することになる。
【０１３１】
プログラムコードを供給するための記憶媒体として、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１３２】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【０１３３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した各実施の形態の機能が実現される場合も、本発明に含まれることは言うまでもない。
【０１３４】
【発明の効果】
以上詳述したように請求項１、請求項３、請求項４、請求項６または請求項７記載の発明によれば、山登りモードのＡＦ動作が完了してピーク位置が検出されたか否かに応じて、本露光時のフォーカスレンズの駆動範囲を変えるようにする。
【０１３５】
これにより、山登り合焦方式によって合焦位置が未だ得られていない場合でも正確にピントを合わせることが可能となる。また、山登り合焦方式によって合焦位置が得られている場合には、短い時間でピントを合わせることができる。
【図面の簡単な説明】
【図１】本発明に係る電子カメラの第１の実施の形態における構成を示すブロック図である。
【図２】電子カメラで実行される基本的な処理の手順を示すフローチャートである。
【図３】図２のステップＳ２０４で実行されるＡＦ動作の詳細な手順を示すフローチャートである。
【図４】図３のステップＳ３０２で実行される山登りモードのＡＦ動作の詳細な手順を示すフローチャートである。
【図５】図３のステップＳ３０３で実行される監視モードのＡＦ動作の詳細な手順を示すフローチャートである。
【図６】図２におけるステップＳ２０６の撮影処理の詳細な手順を示すフローチャートである。
【図７】図６のステップＳ６０２における本露出用のＡＦ動作の詳細な手順を示すフローチャートである。
【図８】図７に示すステップＳ７０２及びステップＳ７０３における位置ＰＳ１，ＰＥ１、及び位置ＰＳ２,ＰＥ２の位置関係を示す図である。
【図９】図３のステップＳ３０２で実行される山登りモードのＡＦ動作の第２の実施例における詳細な手順を示すフローチャートである。
【図１０】図９のステップＳ９１５で実行される合焦判定処理の詳細な手順を示すフローチャートである。
【図１１】図６のステップＳ６０２で実行される本露光用のＡＦ動作の第２の実施例における詳細な手順を示すフローチャートである。
【図１２】撮影画面における測距範囲を示す図である。
【図１３】所定の測距範囲におけるレンズ位置と焦点評価値との関係を示す図である。
【符号の説明】
１０１  フォーカスレンズ
１０２  フォトインタラプタ
１０３  フォーカスレンズ駆動モータ
１０４  フォーカスレンズ駆動回路
１０５  絞り・シャッタ
１０６  絞り・シャッタ駆動モータ
１０７  絞り・シャッタ駆動回路
１０８  ズームレンズ
１０９  フォトインタラプタ
１１０  ズームレンズ駆動モータ
１１１  ズームレンズ駆動回路
１１２  ファインダ
１１３  フォトインタラプタ
１１４  ファインダ駆動モータ
１１５  ファインダ駆動回路
１１６  撮像素子
１１７  タイミング信号発生回路
１１８  前置処理回路
１１９  Ａ／Ｄ変換器
１２０  画像処理プロセッサ（抽出手段）
１２１  バッファメモリ
１２２  記録媒体インターフェース
１２３  記録媒体
１２４  システム制御用マイクロコントローラ（ＣＰＵ、抽出手段、制御手段）
１２５  ズームＳＷ
１２６  撮影準備用スイッチ（ＳＷ１）
１２７  撮影実行用スイッチ（ＳＷ２）
１２８  メインＳＷ
１２９  操作表示部
１３０  モードＳＷ
１３１  電子ビューファインダ（ＥＶＦ）
【図１】
0003728241.tif 000002
【図２】
0003728241.tif 000003
【図３】
0003728241.tif 000004
【図４】
0003728241.tif 000005
【図５】
0003728241.tif 000006
【図６】
0003728241.tif 000007
【図７】
0003728241.tif 000008
【図８】
0003728241.tif 000009
【図９】
0003728241.tif 000010
【図１０】
0003728241.tif 000011
【図１１】
0003728241.tif 000012
【図１２】
0003728241.tif 000013
【図１３】
0003728241.tif 000014